(57)【要約】【課題】アーカイブ装置に保存された送出用素材を、容易に検索かつ確認することのできる番組登録送出システムの実現。【解決手段】アーカイブ装置を備えた番組登録送出システムにおいて、所望の元素材データを、送出用素材に変換してアーカイブ装置に保存すると共に、低レート素材に変換して低レート素材保存装置に上記元素材に関する情報と対応付けて保存し、上記低レート素材保存装置から取り出した所望の低レート素材及び対応する元素材に関する情報に基づき、当該素材内容を検索、確認するようにしたものである。【選択図】  図１
2008244543.tif 000002
【特許請求の範囲】
【請求項１】
アーカイブ装置を備えた番組登録送出システムにおいて、所望の元素材データを、送出用素材に変換してアーカイブ装置に保存すると共に、低レート素材に変換して低レート素材保存装置に上記元素材に関する情報と対応付けて保存し、上記低レート素材保存装置から取り出した所望の低レート素材及び対応する元素材に関する情報に基づき、当該素材内容を検索、確認することを特徴とする番組登録送出システムの検索、確認方法。
【発明の詳細な説明】
【技術分野】
【０００１】
本発明は、容易に内容確認の行えないアーカイブされた送出用素材を、低レート素材を使用してその内容確認及び検索を容易に行えるようにしたシステムに関するものである。
【背景技術】
【０００２】
一般に、放送用のニュース素材などはカセットテープなどに保存されているが、近年のテープレス化等によりハードディスク等を用いた送出用装置を用いるようになってきた。しかし、送出装置自体の記憶容量は有限であるため、より多くの素材を保存し、再使用するために、大容量のアーカイブ装置に、送出用に作成した素材データを保存することが多くなってきた。
【特許文献１】特開２００３−２７３８２１公報
【発明の開示】
【発明が解決しようとする課題】
【０００３】
上述の従来技術では、アーカイブ装置に保存されたデータは、送出用装置と同じデータフォーマットを扱える装置を用い、その装置にデータの転送を行わなければ、再生確認を行うことができず、容易にかつ短時間に、アーカイブ装置に保存された素材データの内容を確認することができない。
本発明はこれらの欠点を除去し、アーカイブ装置に保存された送出用素材を、容易に検索かつ確認することのできる番組登録送出システムの実現を目的とする。
【課題を解決するための手段】
【０００４】
本発明は上記目的を達成するために、アーカイブ装置を備えた番組登録送出システムにおいて、所望の元素材データを、送出用素材に変換してアーカイブ装置に保存すると共に、低レート素材に変換して低レート素材保存装置に上記元素材に関する情報と対応付けて保存し、上記低レート素材保存装置から取り出した所望の低レート素材及び対応する元素材に関する情報に基づき、当該素材内容を検索、確認するようにしたものである。
【発明の効果】
【０００５】
本発明によれば、アーカイブ装置に保存された送出用素材に対応する低レート素材を作成することによって、アーカイブ装置に保存された素材内容を容易に確認することができる。また、低レート素材に汎用的なＭＰＥＧ４等の素材を用いることで、使用する端末装置に特殊な装置を必要とせず、簡易に設置することが可能である。
【発明を実施するための最良の形態】
【０００６】
以下、本発明による低レート素材を使用したアーカイブ素材の検索、確認の実施の形態について、図１、図２を用いて詳細に説明する。
図１において、１１は、放送に用いる元素材が記録されたビデオテープがセットされたＶＴＲである。１２は、ＶＴＲ１１から再生された元素材データ４０を送出用装置２３で扱える送出用素材(例えばＭＰＥＧ４やＨ．２６４を用いた素材)４１に変換する送出素材変換装置である。１３は、ＶＴＲ１１から再生された元素材データ４０を、例えば、ＭＰＥＧ４やＨ．２６４フォーマットの低レート素材４２に変換する低レート素材変換装置である。
２１は、送出素材変換装置１２にて変換された送出用素材４１を保存するアーカイブ装置である。２２は、低レート素材変換装置１３で変換された低レート素材４２を保存する低レート素材保存装置である。１４は、放送局の営業、編成、放送までを一貫して管理するＥＤＰＳ(Electronic Data Processing System)端末であり、放送番組のスケジュールに関する情報であるプレイリストを送出する。１５は、ＥＤＰＳ端末１４から送出されたプレイリスト等の情報を記憶するデータサーバである。１６は、ＶＴＲ１１、送出素材変換装置１２、低レート素材変換装置１３、アーカイブ装置２１、低レート素材保存装置２２、送出用装置２３、検索装置３１を制御し、ＶＴＲ１１からの元素材データ４０を送出用素材４１に変換してアーカイブ装置２１に記憶させると共に、低レート素材変換装置１３でＶＴＲ１１から送出された元素材データ４０を低レート素材に変換させて低レート素材保存装置２２に記憶させる制御を行う登録制御端末である。
【０００７】
以下、図２を用いて、ＶＴＲ１１からの元素材データ４０のアーカイブ装置２１及び低レート素材保存装置２２への保存動作について、説明する。
登録制御端末１６からの制御により、ＶＴＲ１１の再生を行い、元素材データを順次、送出する(ステップ１０１)。送出された元素材データは、送出素材変換装置１２で送出用装置２３で扱える送出用素材(例えば、ＭＰＥＧ４やＨ．２６４を用いた素材)４１に変換され(ステップ１０２)、アーカイブ装置２１に保存される(ステップ１０４)。
同時に、ＶＴＲ１１から送出された元素材データ４０は、低レート素材変換装置１３にて、例えば、ＭＰＥＧ４フォーマットの低レート素材４２に変換され(ステップ１０３)、低レート素材保存装置２２に保存される(ステップ１０５)。
ここで、アーカイブ装置２１に保存される送出用素材４１と低レート素材保存装置２２に保存される低レート素材４２は、対応付けられて保存される。
また、アーカイブ装置２１および低レート素材保存装置２２には、元素材に関する情報(作成日、素材タイトル、番組名等)が同時に記録される。これらの情報は、データサーバ１５にも記憶される。これにより、元素材データ４０が、アーカイブ装置２１と低レート素材保存装置２２に対応付けられて保存される。
【０００８】
次に、アーカイブ装置２１に保存された素材データの検索、内容確認動作について説明する。
まず、検索装置３１により、低レート素材保存装置２２から所望の元素材に関する情報及び対応する低レート素材４２を取り出す(ステップ１０６)。
そして、検索装置３１に付属のプレビュ端末において、取り出した所望の元素材に関する情報に基づき、素材内容を確認したい低レート素材４２を検索し、その内容をプレビューする(ステップ１０７)。ここで、前述のように、低レート素材保存装置２２に保存されている低レート素材４２と、アーカイブ装置２１に保存されている送出用素材４１は、対応付けられているため、所望の送出用素材４１の内容を確認することができる。
そして、上記内容確認後、放送に必要である送出用素材４１をアーカイブ装置２１から送出用装置２３に転送する(ステップ１０８)。
これにより、送出用装置２３において、実際の放送や、他の送出素材を作成するための元素材として使用することができる。
【０００９】
なお、本実施の形態では、ＶＴＲ１１からの元素材データ４０をアーカイブ装置２１及び低レート素材保存装置２２に保存し、内容確認後、放送に必要である送出用素材４１をアーカイブ装置２１から送出用装置２３に転送することについて説明したが、本発明は、これに限定されるものではない。
すなわち、送出用装置２３側から、種々の送出用素材をアーカイブ装置２１に保存すると共に、対応する低レート素材４２を低レート素材保存装置２２に保存し、アーカイブ装置２１に保存された素材データの内容確認することもできる。
【図面の簡単な説明】
【００１０】
【図１】本発明の番組登録送出システムの一実施例の構成を示すブロック図
【図２】本発明の送出用素材の保存、内容確認の動作を示すフローチャート
【符号の説明】
【００１１】
１２：送出素材変換装置、１３：低レート素材変換装置、２１：アーカイブ装置、２２：低レート素材保存装置、２３：送出用装置、３１：検索装置、４１：送出用素材、４２：低レート素材
【図１】
2008244543.tif 000003
【図２】
2008244543.tif 000004